(57)【特許請求の範囲】
【請求項１】
室内空気を吸い込む内気口とその吸い込んだ空気を外部に排出する排気口および外気空気を吸い込む外気口とその吸い込んだ外気を室内に供給する給気口を有する本体ケースと、
この本体ケース内に設けられた室内空気用の第１送風ファンおよび外気用の第２送風ファンと、
前記本体ケース内において、複数の板体をそれぞれ所定間隔を離した状態で重合させた熱交換素子とで構成され、
この熱交換素子の前記板体の間に室内空気、外気を交互に通じて熱交換を行う熱交換装置であって、
前記熱交換素子は、室内空気の吐出口と外気の吐出口とが隣接して設けられ、
複数の前記熱交換素子を室内空気の吐出口と外気の吐出口の境界部分（以降、吐出口境界部）を対向させて配置して一体とした熱交換素子ユニットを設け、
さらに、第１送風ファンと第２送風ファンを一体のユニットにしたファンユニットとし、
前記本体ケース側面に設けた開口部から前記熱交換素子ユニットと前記ファンユニットを取り出せるように構成した熱交換装置。
【請求項２】
前記開口部から前記熱交換素子ユニット、前記ファンユニットの順番で前記本体ケース側面から取り出せるように構成した請求項１に記載の熱交換装置。
【請求項３】
前記ファンユニットが前記熱交換素子ユニットに向かって水平にスライドするファンユニットレールを設けたことを特徴とした請求項１または２に記載の熱交換装置。
【請求項４】
前記第１送風ファンの吐出口の開口面と前記第２送風ファンの吐出口の開口面が前記ファンユニットレールに平行になるように配置し、
さらに、前記本体ケースの排気口に通じる排気口接続面と前記本体ケースの給気口に通じる給気口接続面を前記ファンユニットレールに平行になるように設けた請求項１〜３のいずれか一つに記載の熱交換装置。
【請求項５】
前記第１送風ファンおよび前記第２送風ファンの吐出口にスライド機構部を設けたことを特徴とする請求項４に記載の熱交換装置。
【請求項６】
前記第１送風ファンおよび前記第２送風ファンに設けた前記スライド機構に、前記排気口接続面、前記給気口接続面と密着させるおさえ部を設けたことを特徴とする請求項５記載の熱交換装置。
【請求項７】
前記排気口接続面と前記給気口接続面の開口端部に前記ファンユニットレールに平行になるようにファン吐出口スライドレールを設けた請求項４〜６いずれか一つに記載の熱交換装置。
【請求項８】
前記ファンユニットは、室内空気の通風路と外気通風路を仕切るように板状に設けられたモータベースを挟んで第１送風ファンと第２送風ファンを一体のユニットにした請求項１〜７いずれか一つに記載の熱交換装置。
【請求項９】
前記開口部の対面となる前記本体ケースの内奥側面と前記ファンユニットを固定するファンユニット固定部を設けたことを特徴とする請求項８記載の熱交換装置。
【請求項１０】
前記ファンユニット固定部として、固定ベース部と回転部を備えたことを特徴とする請求項９記載の熱交換装置。
【請求項１１】
前記回転部は、その断面をくの字型に形成したレール状の金具であり、
その折り曲げ部を軸として回動できるように前記固定ベース部に固定され、
前記モータベースの端部で前記回転部の一方の面を前記本体ケースの内奥側面側に押し付けることによって、前記回転部の他方の面が前記モータベースを鉛直方向に押し付けて固定する請求項１０記載の熱交換装置。
【発明の詳細な説明】
【技術分野】
【０００１】
本発明は、室内換気を室内空気と屋外空気をファンモーターによる送風と熱交換素子によって、省エネルギーでおこなうにあたり、屋外からの給気と室内からの排気をダクトを介して行なう熱交換装置において、給気用の送風ファンと排気用の送風ファンのメンテナンスに関する。
【背景技術】
【０００２】
熱交換装置の従来例として図９〜図１０を参照しながら説明する。
【０００３】
図９および図１０に示すように、熱交換装置の本体１００は下面に点検カバー１０１を、側面に室内吸込口１０２と室内吹出口１０３と、屋外吸込口１０４と屋外吹出口１０５を有している。また、中央部分には、電動機１０８に装着した排気用羽根１０６と給気用羽根１０７が設けられている。排気用羽根１０６の外側に排気用ファンケーシング１０９と、給気用羽根１０７の外側に給気用ファンケーシング１１０とが設けられている。そして、Ｌ字の風路を積層して構成された複数の熱交換素子１１１が排気用ファンケーシング１０９および給気用ファンケーシング１１０の外周部に配置されている。給気風路１１４は、屋外吸込口１０４から給気用風路構成板１１２と熱交換素子１１１と給気用羽根１０７および吹出管１１３を通じ室内吹出口１０３に連通している。排気風路１１６は、室内吸込口１０２から排気用風路構成板１１５と熱交換素子１１１と排気用羽根１０６および吹出管１１３を通じ屋外吹出口１０５に連通している。（例えば、特許文献１参照）。
【０００４】
この構成において、電動機１０８や排気用羽根１０６や給気用羽根１０７のメンテナンスをする場合、点検カバー１０１を外し本体１００の内部を露出させ、給気用風路構成板１１２と複数の熱交換素子１１１を外した後、排気用羽根１０６、排気用ファンケーシング１０９、電動機１０８、給気用羽根１０７、給気用ファンケーシング１１０の順に各々取り外す必要がある。
【先行技術文献】
【特許文献】
【０００５】
【特許文献１】特開２００６−３４９２２３号公報
【発明の概要】
【発明が解決しようとする課題】
【０００６】
このような従来の熱交換装置では、熱交換装置本体に取り付けられた給気用の送風ファンと排気用の送風ファンを各々分割して外す必要があり、取り付け工数が多く、構造が複雑になりメンテナンス作業が困難であるという課題がある。
【０００７】
本発明は、このような従来の課題を解決するものであり、熱交換装置本体の点検口から、熱交換素子ユニットと複数のファンを一体にしたファンユニットすることで、メンテナンス作業を容易にする熱交換装置を提供することを目的とする。
【課題を解決するための手段】
【０００８】
そして、この目的を達成するために、室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、前記本体ケース内において、複数の板体をそれぞれ所定間隔を離した状態で重合させた熱交換素子とで構成され、この熱交換素子の前記板体の間に室内空気、外気を交互に通じて熱交換を行う熱交換装置であって、前記熱交換素子は、室内空気の吐出口と外気の吐出口とが隣接して設けられ、複数の前記熱交換素子を室内空気の吐出口と外気の吐出口の境界部分（以降、吐出口境界部）を対向させて配置して一体とした熱交換素子ユニットを設け、さらに、第１送風ファンと第２送風ファンを一体のユニットにしたファンユニットとし、前記本体ケース側面に設けた開口部から前記熱交換素子ユニットと前記ファンユニットを取り出せるようにした構成としたものであり、これにより所期の目的を達成するものである。
【発明の効果】
【０００９】
本発明によれば、室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、前記本体ケース内において、複数の板体をそれぞれ所定間隔を離した状態で重合させた熱交換素子とで構成され、この熱交換素子の前記板体の間に室内空気、外気を交互に通じて熱交換を行う熱交換装置であって、前記熱交換素子は、室内空気の吐出口と外気の吐出口とが隣接して設けられ、複数の前記熱交換素子を室内空気の吐出口と外気の吐出口の境界部分（以降、吐出口境界部）を対向させて配置して一体とした熱交換素子ユニットを設け、さらに、第１送風ファンと第２送風ファンを一体のユニットにしたファンユニットとし、前記本体ケース側面に設けた開口部から前記熱交換素子ユニットと前記ファンユニットを取り出せるようにした構成としたことにより、室内空気用の第１送風ファンおよび外気用の第２送風ファンを各々分割して外す必要が無くメンテナンス作業を容易にすることができるという効果を得ることができる。
【図面の簡単な説明】
【００１０】
【図１】本発明の実施の形態１の熱交換装置の概略構造を示す平面図
【図２】同熱交換装置の概略構造を示す正面図
【図３】同熱交換装置の熱交換素子を示す斜視図
【図４】同熱交換装置の熱交換素子ユニットを示す側面断面図
【図５】同熱交換装置の熱交換素子ユニットを示す正面斜視図
【図６】同熱交換装置の熱交換素子ユニットを示す背面斜視図
【図７】同熱交換装置のファンユニットを示す斜視図
【図８】同熱交換装置のファンユニット固定部の詳細を示す正面断面図（ａ）固定前の詳細図、（ｂ）固定後の詳細図
【図９】従来の熱交換装置の概略構造を示す正面図
【図１０】同熱交換装置の概略構造を示す平面図
【発明を実施するための形態】
【００１１】
本発明の請求項１記載の換気装置は、室内空気を吸い込む内気口とその吸い込んだ空気を外部に排出する排気口および外気空気を吸い込む外気口とその吸い込んだ外気を室内に供給する給気口を有する本体ケースと、この本体ケース内に設けられた室内空気用の第１送風ファンおよび外気用の第２送風ファンと、前記本体ケース内において、複数の板体をそれぞれ所定間隔を離した状態で重合させた熱交換素子とで構成され、この熱交換素子の前記板体の間に室内空気、外気を交互に通じて熱交換を行う熱交換装置であって、前記熱交換素子は、室内空気の吐出口と外気の吐出口とが隣接して設けられ、複数の前記熱交換素子を室内空気の吐出口と外気の吐出口の境界部分（以降、吐出口境界部）を対向させて配置して一体とした熱交換素子ユニットを設け、さらに、第１送風ファンと第２送風ファンを一体のユニットにしたファンユニットとし、前記本体ケース側面に設けた開口部から前記熱交換素子ユニットと前記ファンユニットを取り出せるようにした構成を有する。これにより、複数の熱交換素子とその熱交換素子の室内空気通風路と外気通風路が混ざることなく風路を形成する吐出境界部を配した熱交換素子ユニットと室内空気用の第１送風ファンおよび外気用の第２送風ファンを一体のユニットとしたファンユニットを熱交換装置本体から容易に取り出すことができることとなるので、室内空気用の第１送風ファンおよび外気用の第２送風ファンを各々分割して外す必要が無くメンテナンス作業を容易にすることができるという効果を奏する。
【００１２】
また、前記開口部から熱交換素子ユニット、ファンユニットの順番で本体ケース側面から取り出せるような構成にしてもよい。これにより、ファンユニットより先に熱交換素子ユニットを熱交換装置本体から取り出すことができることとなるので、熱交換素子ユニットよりメンテナンス周期が長いファンユニットを開口部から奥にすることで、熱交換素子ユニットのメンテナンス作業時にファンユニットを取り外す必要がなく、メンテナンス作業を容易にすることができるという効果を奏する。
【００１３】
また、ファンユニットが熱交換素子ユニットに向かって水平にスライドするファンユニットレールを設けた構成にしてもよい。これにより、本体ケースから熱交換素子ユニットを取り出したスペースを利用することができることとなるので、本体ケース内でファンユニットがスライドするので、ファンユニットのメンテナンス作業を容易にすることができるという効果を奏する。
【００１４】
また、第１送風ファンの吐出口の開口面と第２送風ファンの吐出口の開口面がファンユニットレールに平行になるように配置し、さらに、本体ケースの排気口に通じる排気口接続面と本体ケースの給気口に通じる給気口接続面をファンユニットレールに平行になるように設けたものである。このような構成によれば、ファンユニットをファンユニットレールに沿って所定位置に移動すると、第１送風ファンの吐出口の開口面と排気口接続面とが接合し、さらに同時に第２送風ファンの吐出口の開口面と給気口接続面とが接合することになり、容易にファンユニットの装着が可能となる。
【００１５】
また、第１送風ファンおよび第２送風ファンの吐出口にスライド機構部を設けた構成にしてもよい。これにより、第１送風ファンの吐出口と排気口に通じる風路の接続面および第２送風ファンの吐出口と給気口に通じる接続面が容易にスライドすることができることとなるので、第１送風ファンの吐出口と排気口に通じる風路の接続面および第２送風ファンの吐出口と給気口に通じる接続面でのシール性を保ちながら、ファンユニットのメンテナンス作業を容易にすることができるという効果を奏する。
【００１６】
また、第１送風ファンおよび第２送風ファンに設けたスライド機構に、排気口接続面、給気口接続面と密着させるおさえ部を設けた構成にしてもよい。これにより、第１送風ファンの吐出口と排気口に通じる風路の接続面および第２送風ファンの吐出口と給気口に通じる接続面が容易にシールすることができることとなるので、第１送風ファンの吐出口と排気口に通じる風路の接続面および第２送風ファンの吐出口と給気口に通じる接続面でのシール性を保ちながら、ファンユニットのメンテナンス作業を容易にすることができるという効果を奏する。
【００１７】
また、排気口接続面と給気口接続面の開口端部にファンユニットレールに平行になるようにファン吐出口スライドレールを設けた構成としても良い。このような構成によれば、第１送風ファンの吐出口の開口面と第２送風ファンの吐出口の開口面をファン吐出口スライドレールに乗せてスライドして、容易に排気口接続面、給気口接続面に導くことができる。
【００１８】
また、ファンユニットは、室内空気の通風路と外気通風路を仕切るように板状に設けられたモータベースを挟んで第１送風ファンと第２送風ファンを一体のユニットにした構成としても良い。このような構成によれば、ファンユニットを装着することによって容易に室内空気の通風路と外気通風路を仕切ることができる。
【００１９】
また、前記開口部の対面となる本体ケースの内奥側面とファンユニットを固定するファンユニット固定部を設けた構成にしてもよい。これにより、ファンユニット固定部により内奥側面を触ることなく内奥側面とファンユニットを容易に脱着することができることとなるので、内奥側面とファンユニットを容易に脱着することができるので、ファンユニットのメンテナンス作業を容易にすることができるという効果を奏する。
【００２０】
また、ファンユニット固定部として、固定ベース部と回転部を備えた構成にしてもよい。これにより、回転部によりファンユニットを容易に固定することができることとなるので、回転部によりファンユニットを容易に固定することができるので、ファンユニットのメンテナンス作業を容易にすることができるという効果を奏する。
【００２１】
また、回転部は、その断面をくの字型に形成したレール状の金具として、その折り曲げ部を軸として回動できるように固定ベース部に固定され、モータベースの端部で回転部の一方の面を本体ケースの内奥側面側に押し付けることによって、回転部の他方の面がモータベースを鉛直方向に押し付けて固定するものである。このような構成によれば、容易にファンユニットを本体ケースに固定できるとともに、室内空気の通風路と外気通風路を仕切ることができる。
【００２２】
以下、本発明の実施の形態について、図面を参照しながら説明する。
【００２３】
（実施の形態１）
本発明の第１の実施の形態について、図１〜図８を用いて説明する。図１、図２に示すように、本体ケース１の側面１ａには、ダクト等（図示せず）を介して室内で発生した汚染空気を吸い込む内気口２とその吸い込んだ空気を外部に排出する排気口３、および外気空気を吸い込む外気口４とその吸い込んだ外気を室内に供給する給気口５を有している。この本体ケース１の少なくとも一面には、点検カバー１ｂを有している。本体ケース１内には室内空気用の第１送風ファンとして排気用羽根６ａと排気用ケーシング６ｂと排気用吐出部６ｄで構成された排気用ファン６が設けられている。同様に、外気用の第２送風ファンとして給気用羽根７ａと給気用ケーシング７ｂと給気用吐出部７ｄで構成された給気用ファン７が設けられている。
【００２４】
さらに本体ケース１内には、排気用ファン６の排気用吐出部６ｄと連通する排気吐出口６ｅと、給気用ファン７の給気用吐出部７ｄと連通する給気吐出口７ｅが設けられている。この排気吐出口６ｅは、排気用ファン６の排気用吐出部６ｄの開口面をスライド摺動して排気用吐出部６ｄと連通し、固定される。同様に、給気吐出口７ｅは、給気用ファン７の給気用吐出部７ｄの開口面をスライド摺動して給気用吐出部７ｄと連通し、固定される。排気用吐出部６ｄには、おさえ部６ｆが形成され、スライド摺動した排気用吐出部６ｄと排気吐出口６ｅが合致する際、おさえ部６ｆが排気吐出口６ｅの一部となり、排気用ファン６から吐出した空気が、これらの接合部から漏れない構造となっている。同様に、給気用吐出部７ｄには、おさえ部７ｆが形成され、スライド摺動した給気用吐出部７ｄと給気吐出口７ｅが合致する際、おさえ部７ｆが給気吐出口７ｅの一部となり、給気用ファン７から吐出した空気が、これらの接合部から漏れない構造となっている。
【００２５】
そして、排気風路６ｃ（図１および図２において●から○に至る風路経路）は、内気口２と排気用ファン６と排気吐出口６ｅと排気口３を連通して形成されている。また、給気風路７ｃ（図１および図２において■から□に至る風路経路）は、外気口４と給気用ファン７と給気吐出口７ｅと給気口５を連通して形成されている。この排気風路６ｃと給気風路７ｃは、混流しないように風路仕切り８とモータベース９ａによって仕切られている。また、排気風路６ｃと給気風路７ｃの風路には熱交換素子１１を介在させた熱交換素子ユニット１２を配している。
【００２６】
ここで、図３〜図６を用いて、熱交換素子ユニット１２の構造を詳細に説明する。
【００２７】
熱交換素子１１は、Ｌ字状の壁１０ａによりＬ字通風レーン１０ｂを設けた略長方形の複数の板体１０ｃをそれぞれ所定間隔、例えば１〜３ｍｍの間隔で離して重合させたものである。所定間隔に離した板体１０ｃの間には、室内空気と外気の潜熱や顕熱が交互に通じて熱交換を行う熱伝熱板１０ｄがあり、複数の板体１０ｃと熱伝熱板１０ｄを積層して構成されている。
【００２８】
そして熱交換素子１１は、複数の熱交換素子１１を並列に組み合わせても風路構造が複雑にならない熱交換素子ユニット１２となっている。すなわち、熱交換素子１１は、排気風路６ｃに介在し、室内空気を吸い込む素子内気吸込口１１ｅと素子内気吐出口１１ａがあり、また、給気風路７ｃに介在し、外気空気を吸い込む素子外気吸込口１１ｆと素子外気吐出口１１ｂがある。素子内気吐出口１１ａと素子外気吐出口１１ｂは隣接して設けられている。このような複数の熱交換素子１１を、素子内気吐出口１１ａと素子外気吐出口１１ｂの境界部分（以降、吐出口境界部１１ｃ）を対向させて配置して熱交換素子ユニット１２を構成している。対向した熱交換素子１１の吐出口境界部１１ｃ同士は、風路境界板１１ｄで連結されている。また、素子内気吸込口１１ｅの端部同士、素子外気吸込口１１ｆの端部同士は、それぞれ、突出部１１ｇで連結されている。ここで、熱交換素子ユニット１２の排気用ファン６と給気用ファン７側の面をファン側外装面１２ｃとし、反対となる側の面を点検口側外装面１２ｄとしている。
【００２９】
この熱交換素子ユニット１２は、素子内気吐出口１１ａを有する内気通風路１２ａと素子外気吐出口１１ｂを有する外気通風路１２ｂの２つの風路を有している。内気通風路１２ａは、排気用ファン６に通じ、外気通風路１２ｂは給気用ファン７に通じている。そして、前述したように複数の熱交換素子１１が用いられているが、点検口側（点検口側外装面１２ｄ側）とファン側（ファン側外装面１２ｃ側）とでも分けられている。（すなわち、内気通風路１２ａ、外気通風路１２ｂに沿って、複数の熱交換素子１１が上流側から下流側に並べられている。）点検口側外装面１２ｄ側（風路上流側）の熱交換素子１１は、風路境界板１１ｄ側（風路下流側）に素子内気吐出口１１ａと素子外気吐出口１１ｂを向けている。
【００３０】
また、ファン側外装面１２ｃ側の熱交換素子１１は、ファン側外装面１２ｃ側に素子内気吐出口１１ａと素子外気吐出口１１ｂを向けている。すなわち、点検口側外装面１２ｄ側の熱交換素子１１とファン側外装面１２ｃ側の熱交換素子１１とは、９０°回転した形で配置されている。
【００３１】
なお、点検口側外装面１２ｄとファン側外装面１２ｃとの距離が長く、３つ以上の熱交換素子１１を用いる場合には、点検口側外装面１２ｄ側の熱交換素子１１とファン側外装面１２ｃ側の熱交換素子１１に挟まれた熱交換素子１１は、素子内気吐出口１１ａと素子外気吐出口１１ｂが風路境界板１１ｄ側を向いている。
【００３２】
また、突出部１１ｇは、点検口側外装面１２ｄからファン側外装面１２ｃに向かって、内気通風路１２ａと外気通風路１２ｂの各々の断面積が拡大するように傾斜がついた形で構成されている。点検口側外装面１２ｄの内気通風路１２ａと外気通風路１２ｂの風路に面しない側には、取っ手１２ｅがついている。
【００３３】
一方、排気風路６ｃ（図１および図２において●から○に至る風路経路）と、給気風路７ｃ（図１および図２において■から□に至る風路経路）が混流しないように風路仕切り８が設けられている。この風路仕切り８には、その一部としてファンユニットレール８ａを形成している。このファンユニットレール８ａの間に挟まれるように、水平方向にスライド摺動できるモータベース９ａが設けられている。このモータベース９ａには、排気用羽根６ａと給気用羽根７ａを固定し回転駆動させるモータ９ｂと、排気用ファン６の排気用ケーシング６ｂと、給気用ファン７の給気用ケーシング７ｂを固定して、一体のユニットにしたファンユニット１３としている。
【００３４】
また、点検カバー１ｂが取り付く面に対し対面となる本体ケース１の内側面となる内奥側面１ｃには、ファンユニット固定部１３ａが設けられている。このファンユニット固定部１３ａは、ファンユニット１３を内奥側面１ｃまで挿入したときにファンユニット１３と内奥側面１ｃがネジ等の固定部材なしに着脱できるものである。このファンユニット固定部１３ａは、内奥側面１ｃに固定する固定ベース部１３ｂと、モータベース９ａを保持する回転部１３ｃで構成されている。この回転部１３ｃは、断面が「く」の字型のレール状の金具であり、「く」の字の頂点（曲げ部）を固定ベース部１３ｂに軸として固定して回動できるようになっている。この回転部１３ｃの一方の面をファンユニット１３のモータベース９ａの端部で内奥側面１ｃに押し付ける力を加えると、固定ベース部１３ｂに設けた軸を中心に回転しながら他方の面がモータベース９ａに対し略垂直方向に力を加えて、保持するものである。ここで略垂直方向とは、スライド摺動する水平方向に対し約９０°前後の角度であり、モータベース９ａが固定ベース部１３ｂと回転部１３ｃに挟まれスライド摺動が抑制される方向である。
【００３５】
次に、メンテナンスに関して説明する。
【００３６】
本体ケース１の側面１ａに設けられた点検カバー１ｂを外すと本体ケース１の側面１ａに開口部１ｄが開口し、まず、熱交換素子ユニット１２の取っ手１２ｅが本体ケース１から露出する。熱交換素子ユニット１２は、素子レール１２ｆによってガイドされており、取っ手１２ｅを引っ張ると、本体ケース１内側から点検カバー１ｂの方向へ素子レール１２ｆに沿ってスライドしながら開口部１ｄから本体ケース１の外部へ容易に取り出すことができる。
【００３７】
本体ケース１から熱交換素子ユニット１２を取り出した後、ファンユニット１３を内奥側面１ｃから点検カバー１ｂの方向へ引っ張ると、ファンユニット１３のモータベース９ａに加わっていた回転部１３ｃの略垂直方向の力が回転しながら解除される。そして、そのまま引っ張ると、ファンユニット１３はファンユニットレール８ａ上をスライド摺動すると同時に、排気用ファン６の排気用吐出部６ｄと給気用ファン７の給気用吐出部７ｄが各々排気吐出口６ｅと給気吐出口７ｅをスライド摺動する。
【００３８】
そして、本体ケース１の熱交換素子ユニット１２の介在していた位置へ移動することができ、ファンユニット１３を開口部１ｄから本体ケース１の外部へ容易に取り出すことができる。
【００３９】
上記構成により、熱交換素子ユニット１２は、ファンユニット１３より先に本体ケース１から容易に取り出すことができる。ファンユニット１３は、その熱交換素子ユニット１２を取り出したスペースまで引き出して、本体ケース１から容易に取り出すことができる。従って、排気用ファン６および給気用ファン７を各々分割して外す必要が無くなる。また、熱交換素子ユニット１２は、ファンユニット１３を取り外さずにメンテナンス作業ができる。一方、ファンユニット１３をメンテナンスする場合は、本体ケース１内でファンユニット１３がスライドするので、メンテナンス作業を容易にすることができることとなる。
【００４０】
また、排気用ファン６の排気用吐出部６ｄと排気吐出口６ｅとがおさえ部６ｆによって、給気用ファン７の給気用吐出部７ｄと給気吐出口７ｅとがおさえ部７ｆにより容易にシールすることができる。さらに、ファンユニット固定部１３ａの回転部１３ｃによりファンユニット１３を内奥側面１ｃと容易に脱着することができるので、シール性を保ちながらファンユニット１３のメンテナンス作業を容易にすることができることとなる。
【００４１】
また、排気用ファン６の排気用吐出部６ｄの開口面と給気用ファン７の給気用吐出部７ｄの開口面、そして、排気吐出口６ｅと給気吐出口７ｅは、ファンユニットレール８ａに平行になるように設ける。そして、排気吐出口６ｅ、および、給気吐出口７ｅの端部にファンユニットレール８ａに平行になるように、排気用ファン６の排気用吐出部６ｄ、給気用ファン７の給気用吐出部７ｄの端部を受けてスライドするファン吐出口スライドレール（図示せず）を設けても良い。このような構成によれば、ファンユニット１３をスライド移動することによって排気用ファン６の排気用吐出部６ｄ、給気用ファン７の給気用吐出部７ｄを排気吐出口６ｅ、給気吐出口７ｅの開口部に接合させることができる。
【産業上の利用可能性】
【００４２】
本発明のかかる熱交換装置は、排気用ファンと給気用ファンをファンユニットとして一体化し、メンテナンスを容易にしたもので、非居住の建築物で専門業者がメンテナンスする熱交換装置だけでなく、一般居住の建築物で居住者がメンテナンスする熱交換装置として有用である。
【符号の説明】
【００４３】
１      本体ケース
１ａ    側面
１ｂ    点検カバー
１ｃ    内奥側面
１ｄ    開口部
２      内気口
３      排気口
４      外気口
５      給気口
６      排気用ファン
６ａ    排気用羽根
６ｂ    排気用ケーシング
６ｃ    排気風路
６ｄ    排気用吐出部
６ｅ    排気吐出口
６ｆ    おさえ部
７      給気用ファン
７ａ    給気用羽根
７ｂ    給気用ケーシング
７ｃ    給気風路
７ｄ    給気用吐出部
７ｅ    給気吐出口
７ｆ    おさえ部
８      風路仕切り
８ａ    ファンユニットレール
９ａ    モータベース
９ｂ    モータ
１０ａ  Ｌ字状の壁
１０ｂ  Ｌ字通風レーン
１０ｃ  板体
１０ｄ  熱伝熱板
１１    熱交換素子
１１ａ  素子内気吐出口
１１ｂ  素子外気吐出口
１１ｃ  吐出口境界部
１１ｄ  風路境界板
１１ｅ  素子内気吸込口
１１ｆ  素子外気吸込口
１１ｇ  突出部
１２    熱交換素子ユニット
１２ａ  内気通風路
１２ｂ  外気通風路
１２ｃ  ファン側外装面
１２ｄ  点検口側外装面
１２ｅ  取っ手
１２ｆ  素子レール
１３    ファンユニット
１３ａ  ファンユニット固定部
１３ｂ  固定ベース部
１３ｃ  回転部
【図１】
0005488187.tif 000002
【図２】
0005488187.tif 000003
【図３】
0005488187.tif 000004
【図４】
0005488187.tif 000005
【図５】
0005488187.tif 000006
【図６】
0005488187.tif 000007
【図７】
0005488187.tif 000008
【図８】
0005488187.tif 000009
【図９】
0005488187.tif 000010
【図１０】
0005488187.tif 000011